(57)【要約】  【課題】冷蔵庫の背面上部に圧縮機等の冷却装置を収納する機械室において、冷蔵庫を住宅の背面及または、側面の壁に当てて設置した場合、従来技術の背面部の放熱口だけでは、確実な放熱効果が得にくいという課題があった。  【解決手段】冷蔵庫本体１の上面後端部を窪ませて形成した凹部７と、凹部７の両側面に位置する凹部側壁部７ａと、凹部７を覆うカバー１２とを有し、凹部７に圧縮機９とファンモータ１１とが備えられ、凹部側壁部７ａは、複数の穴を備えた第一の側壁と、第一の側壁１７ａに対向する第二の側壁１７ｂとを備えたことによって、冷蔵庫本体１を冷蔵庫を設置する背面側の壁に密着して設置しても、冷蔵庫側面に設けられた穴により、外気の取り込みと排気が可能となり、前記凹部内の冷却ユニットの効率よい、放熱を可能にする。【選択図】図１
2007017044.tif 000002
【特許請求の範囲】
【請求項１】
冷蔵庫本体の上面後端部を窪ませて形成した凹部と、前記凹部の両側面に位置する凹部側壁部と、前記凹部を覆うカバーとを有し、前記凹部には圧縮機と前記圧縮機を通風冷却するファンモータとが備えられ、前記凹部側壁部は、複数の穴を備えた第一の側壁と、前記第一の側壁に対向する第二の側壁とを備えた冷蔵庫。
【請求項２】
前記凹部側壁部は、複数の穴を備えた第一の側壁と、前記第一の側壁に対向するとともに開口部を有する第二の側壁とを備え、前記第二の側壁に設けられた開口部を塞ぐようにファンモータを備えた請求項１に記載の冷蔵庫。
【請求項３】
前記ファンモータの取付け面が前記冷蔵庫本体側壁よりも内側に窪んでいる請求項２に記載の冷蔵庫。
【請求項４】
前記凹部側壁部の第一の側壁の少なくとも複数の穴を備えた部分は、前記冷蔵庫本体の側壁より窪んでいる請求項１から３のいずれか一項に記載の冷蔵庫。
【請求項５】
前記ファンモータの取付け面の冷蔵庫外壁側に凸部を設け冷蔵庫本体の側壁よりも前記凸部が突出する請求項２に記載の冷蔵庫。
【請求項６】
前記凸部は、前記冷蔵庫本体の側壁と一体に形成された請求項５に記載の冷蔵庫。
【請求項７】
前記凸部は、前記冷蔵庫本体の側壁に凸状成形品を取り付けることで形成された請求項５に記載の冷蔵庫。
【請求項８】
凹部側壁部の少なくとも一方に切り欠きまたは、開口部を設け、前記切り欠きまたは、開口部に内接する複数の穴を有する樹脂にからなる側壁化粧板を備えた請求項１に記載の冷蔵庫
【請求項９】
前記カバーの上面部に複数の穴を設けた請求項１に記載の冷蔵庫。
【請求項１０】
前記カバーの上面部と背面部とに複数の穴を設けた請求項１に記載の冷蔵庫。
【請求項１１】
前記ファンモータが通風冷却する風路上に冷蔵庫本体を制御する制御基板と前記制御基板を内蔵する制御基板収納ケースとを備えた請求項１から１０のいずれか一項に記載の冷蔵庫。
【発明の詳細な説明】
【技術分野】
【０００１】
本発明は、冷却ユニットを冷蔵庫上部に備えた冷蔵庫に関するものである。
【背景技術】
【０００２】
近年、一般家庭の食生活の多様化より、冷蔵庫の大型化が進んでいる。また、日本においては、住宅事情から設置面積を大きく取りにくい等の理由で、冷蔵庫の高さを高くする傾向がある。このとき、冷蔵庫庫内奥面最上部については、手が届きにくく非常につかいにくいスペースであることが知られている。また、冷蔵庫を冷却するためのコンプレッサー等の冷却ユニット類は、従来から冷蔵庫奥面最下部への設置が大半を占めていた。しかし、前記の理由から、冷却ユニットを前記冷蔵庫の奥面最上部に設置することも考えられている。ここで、冷却ユニットを前記冷蔵庫の奥面最上部に設置する場合、前記冷却ユニットの放熱性を高めるために、前記冷却ユニット背面叉は、上部を覆う金属製または、樹脂製のカバーに複数の子穴を設け放熱口としていることが知られている（例えば、特許文献１参照）。
【０００３】
図１２は、特許文献１に記載された従来の冷蔵庫の背面斜視図を示すものである。
【０００４】
図１２に示すように、冷蔵庫本体１と、外箱２、内箱３、外箱２と、内箱３間には、発泡断熱材４が発泡充填している。外箱２の上面後端部５と、背面上端部６に連続した凹部７が設けられている。凹部底面８に、圧縮機９が防振材（図示せず）により設置する。１０は放熱器で、凹部底面８に取り付いている。１１は、圧縮機９及び、放熱器１０等を冷却するためのファンモータで、凹部７に内蔵し取り付く。
【０００５】
凹部７を覆うカバー１２は鉄板等の成形品で形成している。カバー１２の背面部には、第一の穴１３が開口する。さらに、カバー１２の上面部には第２の穴１４が開口している。
【０００６】
カバー１２は、冷蔵庫本体１にビス等の締結部品（図示せず）で固着する。
【０００７】
本構成により、前記凹部に内蔵のファンモータ１１の回転により、カバー１２の上面部穴１４から、カバー１２の外側の空気１５が吸い込まれ、放熱器１０と圧縮機９等を冷却後、カバー１２の背面側穴１３よりカバー１２の外へ排出される。
【特許文献１】特開２０００−９９５５２号公報
【発明の開示】
【発明が解決しようとする課題】
【０００８】
しかしながら、上記従来の構成では、冷蔵庫本体の背面部を室内の壁に押し当てて使用した場合、カバー１２の背面側穴１３を塞いでしまい、凹部７内の空気の循環が悪くなり、冷却ユニットである放熱器１０及び、圧縮機９の冷却効果が悪くなる。更に、冷蔵庫本体の上面部５に箱状の物が置かれた場合、同様に穴１４塞がれ、放熱効果の妨げになるという課題があった。
【課題を解決するための手段】
【０００９】
上記従来の課題を解決するために、本発明は冷蔵庫本体の上面後端部を窪ませて形成した凹部と、前記凹部の両側面に位置する凹部側壁部と、前記凹部を覆うカバーとを有し、前記凹部には圧縮機と前記圧縮機を通風冷却するファンモータとが備えられ、前記凹部側壁部は、複数の穴を備えた第一の側壁と、前記第一の側壁に対向する第二の側壁とを備えたものである。
【００１０】
これによって、冷蔵庫本体を冷蔵庫を設置する背面側の壁に密着して設置しても、冷蔵庫側面に設けられた穴により、外気の取り込みと排気が可能となり、前記凹部内の冷却ユニットの効率よい、放熱を可能にする。
【発明の効果】
【００１１】
本発明の冷蔵庫は、冷蔵庫を設置する背面側の壁、及び、冷蔵庫側面の壁に密着して設置された場合や、冷蔵庫本体の天面部に物を置かれても、冷却ユニット内の放熱を効率よく行うことが可能であるので、圧縮機の温度が過度に上昇することを防ぎ、冷蔵庫の信頼性を向上させる効果を有する。
【発明を実施するための最良の形態】
【００１２】
以上の説明のように請求項１に記載の発明によれば、冷蔵庫本体の上面後端部を窪ませて形成した凹部と、前記凹部の両側面に位置する凹部側壁部と、前記凹部を覆うカバーとを有し、前記凹部には圧縮機と前記圧縮機を通風冷却するファンモータとが備えられ、前記凹部側壁部は、複数の穴を備えた第一の側壁と、前記第一の側壁に対向する第二の側壁とを備えているので、冷蔵庫本体を冷蔵庫を設置する背面側の壁に密着して設置しても、冷蔵庫側面に設けられた穴により、外気の取り込みと排気が可能となり、前記凹部内の冷却ユニットの効率よい、放熱を可能にする。
【００１３】
また請求項２に記載の発明によれば、前記凹部側壁部は、複数の穴を備えた第一の側壁と、前記第一の側壁に対向するとともに開口部を有する第二の側壁とを備え、前記第二の側壁に設けられた開口部を塞ぐようにファンモータを備えているので冷蔵庫本体を冷蔵庫を設置する背面側の壁に密着して設置しても、冷蔵庫側面に設けられた穴と、前記穴に対向する位置にファンモータを設置しているので、強制的な外気の取り込みと排気が可能となり、凹部内の冷却ユニットの効率よい放熱を可能にする。
【００１４】
また、請求項３に記載の発明によれば、前記ファンモータの取付け面が前記冷蔵庫本体側壁よりも内側に窪んでいるので、前記ファンモータの開口部がふさがれることなく強制的な外気の取り込みと排気が可能となり、凹部内の冷却ユニットの効率よい放熱を可能にする。
【００１５】
また、請求項４に記載の発明によれば前記凹部側壁部の第一の側壁の少なくとも複数の穴を備えた部分は、前記冷蔵庫本体の側壁より窪んでいるので、前記穴の開口部がふさがれることなく強制的な外気の取り込みと排気が可能となり、凹部内の冷却ユニットの効率よい放熱を可能にする。
【００１６】
また、請求項５に記載の発明によれば、前記ファンモータの取付け面の冷蔵庫外壁側に凸部を設け冷蔵庫本体の側壁よりも前記凸部が突出するので、前記ファンモータの開口部がふさがれることなく強制的な外気の取り込みと排気が可能となり、凹部内の冷却ユニットの効率よい放熱を可能にする。
【００１７】
また、請求項６に記載の発明によれば、前記凸部は、前記冷蔵庫本体の側壁と一体に形成されたので、前記ファンモータの開口部がふさがれることなく強制的な外気の取り込みと排気が可能となり、凹部内の冷却ユニットの効率よい放熱を可能にし、また凸部を冷蔵庫本体の側壁と一体に形成することで凸部の強度を向上させることができる。
【００１８】
また、請求項７に記載の発明によれば、前記凸部は、前記冷蔵庫本体の側壁に凸状成形品を取り付けることで形成されたので、冷蔵庫本体の側壁に凸部を別部品である凸状成形品で取り付けるので、冷蔵庫の設置条件等によって、必要な場合にのみ凸部を設け、ファンモータの開口部がふさがれることなく強制的な外気の取り込みと排気を行うことが可能となり、凹部内の冷却ユニットの効率よい放熱を可能にする。
【００１９】
また、請求項８に記載の発明によれば、凹部側壁部の少なくとも一方に切り欠きまたは、開口部を設け、前記切り欠きまたは、開口部に内接する複数の穴を有する樹脂にからなる側壁化粧板を備えたので、前記ファンモータの開口部がふさがれることなく強制的な外気の取り込みと排気が可能となり、凹部内の冷却ユニットの効率よい放熱を可能にする。
【００２０】
また、請求項９に記載の発明によれば、前記カバーの上面部に複数の穴を設けているので前記ファンモータによる通風が妨がれることなく強制的な外気の取り込みと排気が可能となり、凹部内の冷却ユニットの効率よい放熱を可能にする。
【００２１】
また、請求項１０に記載の発明によれば、前記カバーの上面部と背面部とに複数の穴を設けたので、前記ファンモータの開口部がふさがれることなく強制的な外気の取り込みと排気が可能となり、凹部内の冷却ユニットの効率よい放熱を可能にする。
【００２２】
また、請求項１１に記載の発明によれば、前記ファンモータが通風冷却する風路上に冷蔵庫本体を制御する制御基板と前記制御基板を内蔵する制御基板収納ケースとを備えたので、制御基板の放熱を促進し、制御基板の温度が過度に上昇することによる損傷を防ぎ、安定した冷蔵庫本体の制御を可能にする。よい放熱を可能にする。
【００２３】
（実施の形態１）
以下、本発明の実施の形態１を図１に基づいて説明する。ここで、従来例の形態と同一構成については、同一番号を附して説明する。
【００２４】
図１は本発明の実施の形態１における冷蔵庫の背面斜視図である。図１に示すように、冷蔵庫本体１と、外箱２、内箱３、外箱２と、内箱３間には、発泡断熱材４が発泡充填している。外箱２の上面後端部５と、背面上端部６に連続した凹部７が設けられている。凹部底面８に、圧縮機９が防振材（図示せず）により設置する。放熱器１０は凹部底面８に取り付いている。圧縮機９及び、放熱器１０を冷却するためのファンモータ１１は、凹部７に内蔵し取り付けられている。冷蔵庫本体上部より窪ませた凹部７の側壁である凹部側壁部７ａは第一の側壁１７ａと第二の側壁１７ｂを有している。この第一の側壁１７ａには複数の穴１６を設けるとともに、穴１６に対向する第二の側壁１７ｂには開口部である穴１８が設けられている。凹部７を覆うカバー１２は、鉄板等の成形品で形成されており、カバー１２は、冷蔵庫本体１にビス等の締結部品（図示せず）で固着している。
【００２５】
以上のように構成された冷蔵庫において、以下その動作、作用を説明する。
【００２６】
圧縮機９の動作により圧縮された高温高圧の冷媒は、圧縮機から吐出され、放熱器１０にて冷蔵庫本体１の上方の空気と熱交換して放熱するとともに凝縮液化し、その後、キャピラリ（図示せず）で減圧されて蒸発器（図示せず）に至り、圧縮機へと戻ってくる。
【００２７】
このように圧縮機が冷媒を圧縮する為に高温高圧となる冷媒によって、圧縮機９および放熱器１０は高温となるが、ファンモータ１１により冷蔵庫側壁部から圧縮機等を設置する機械室内に外気を導入し、強制的に通風冷却されることで、圧縮機９と放熱器１０の放熱を行い、凹部７内の高温の空気を大気中に放出拡散することができる。よって、圧縮機９および放熱器１０冷却効率向上により冷蔵庫の消費電力量を低減できる。
【００２８】
また、本実施の形態によると、冷蔵庫本体１を冷蔵庫を設置する背面側の壁に密着して設置しても、冷蔵庫側面に設けられた穴１６，１８により、外気の取り込みと排気が可能となり、凹部内の冷却ユニットの効率よい、放熱を可能にする。
【００２９】
（実施の形態２）
図２は本発明の実施の形態２における冷蔵庫の背面斜視図である。
【００３０】
図２において冷蔵庫本体１と、外箱２、内箱３、外箱２と、内箱３間には、発泡断熱材４が発泡充填している。外箱２の上面後端部５と、背面上端部６に連続した凹部７が設けられている。凹部底面８に、圧縮機９が防振材（図示せず）により設置する。放熱器１０は凹部底面８に取り付けられている。冷蔵庫本体上部より窪ませた凹部７の片側側壁に複数の穴１６を設けるとともに、複数の穴１６に対向する第二の側壁１７ｂと、この第二の側壁１７ｂには開口部１９が開口する。開口部１９内面には、圧縮機９及び、放熱器１０等を冷却するためのファンモータ２０が内壁側を接し、開口部１９をふさぐように取り付けられている。凹部７を覆うカバー１２は鉄板等の成形品で形成している。カバー１２は、冷蔵庫本体１にビス等の締結部品（図示せず）で固着しており、冷蔵庫側壁部から凹部７内に冷蔵庫側壁部にファンモータにより外気を強制的に導入することができるので、冷蔵庫本体１を冷蔵庫を設置する背面側の壁に密着して設置しても、冷蔵庫側面に設けられた穴１６，１８により、外気の取り込みと排気が可能となり、凹部内の冷却ユニットの効率よい、放熱を可能にする。
【００３１】
（実施の形態３）
図３は本発明の実施の形態３における冷蔵庫の背面斜視図である。
【００３２】
図３において冷蔵庫本体１と、外箱２、内箱３、外箱２と、内箱３間には、発泡断熱材４が発泡充填している。外箱２の上面後端部５と、背面上端部６に連続した凹部７が設けられている。凹部底面８に、圧縮機９が防振材（図示せず）により設置する。１０は放熱器で、凹部底面８に取り付いている。冷蔵庫本体上部より窪ませた凹部７の片側側壁に複数の穴１６を設けるとともに、複数の穴１６に対向する第二の側壁１７ｂと、この第二の側壁１７ｂに開口部１９が開口する。開口部１９内面には、圧縮機９及び、放熱器１０等を冷却するためのファンモータ１１が内接し固着する。ここで、開口部１９が明けられた第二の側壁１７ｂは、冷蔵庫本体１の外郭側壁面よりも窪んで備えられている。
【００３３】
これによって、冷蔵庫の側壁を壁等に密着して設置した場合でも、開口部１９がふさがれることなく強制的な外気の取り込みと排気が可能となり、凹部内の冷却ユニットの効率よい放熱を可能にする。
【００３４】
（実施の形態４）
図４は本発明の実施の形態４における冷蔵庫の背面斜視図である。
【００３５】
図４において冷蔵庫本体１と、外箱２、内箱３、外箱２と、内箱３間には、発泡断熱材４が発泡充填している。外箱２の上面後端部５と、背面上端部６に連続した凹部７が設けられている。凹部底面８に、圧縮機９が防振材（図示せず）により設置する。放熱器１０は凹部底面８に取り付けられている。冷蔵庫本体上部より窪ませた凹部７の片側側壁に複数の穴１６を設けるとともに、複数の穴１６に対向する第二の側壁１７ｂと、この第二の側壁１７ｂには開口部１９が開口する。開口部１９内面には、圧縮機９及び、放熱器１０等を冷却するためのファンモータ１１が開口部１９をふさぐように壁の内壁面に接し固着されている。ここでファンモータ１１の取り付け面は、冷蔵庫本体１の片側側壁面より凹部状に窪んだ凹平面１７ｃに開口する。１２は凹部７を覆うカバーで、鉄板等の成形品で形成している。カバー１２は、冷蔵庫本体１にビス等の締結部品（図示せず）で固着されており、冷蔵庫側壁部から圧縮機等を設置する凹部７からなる機械室内に冷蔵庫側壁部に取り付くファンモータにより外気を強制的に導入することができる。
【００３６】
これによって、冷蔵庫の側壁を壁等に密着して設置した場合でも、開口部１９がふさがれることなく強制的な外気の取り込みと排気が可能となり、凹部内の冷却ユニットの効率よい放熱を可能にする。
【００３７】
（実施の形態５）
図５は本発明の実施の形態５における冷蔵庫の背面斜視図である。
【００３８】
図５において冷蔵庫本体１と、外箱２、内箱３、外箱２と、内箱３間には、発泡断熱材４が発泡充填している。外箱２の上面後端部５と、背面上端部６に連続した凹部７が設けられている。凹部底面８に、圧縮機９が防振材（図示せず）により設置する。放熱器１０は、凹部底面８に取り付いている。冷蔵庫本体上部より窪ませた凹部７の片側側壁に複数の穴１６を設けるとともに、複数の穴１６に対向する第二の側壁１７ｂと、この第二の側壁１７ｂには開口部１９が開口する。開口部１９内面には、圧縮機９及び、放熱器１０等を冷却するためのファンモータ１１が内接し固着する。ファンモータ１１の開口フランジ部２１に一体に形成された凸部２０が少なくとも１個以上形成されている。
【００３９】
これによって、凸部２０は、冷蔵庫本体１の側壁と一体に形成されたので、冷蔵庫の側壁を壁等に密着して設置した場合でも、ファンモータの開口部１９がふさがれることなく強制的な外気の取り込みと排気が可能となり、凹部内の冷却ユニットの効率よい放熱を可能にし、また凸部２０を冷蔵庫本体の側壁と一体に形成することで凸部の強度を向上させることができる。
【００４０】
（実施の形態６）
図６は本発明の実施の形態６における冷蔵庫の背面斜視図である。
【００４１】
図６において冷蔵庫本体１と、外箱２、内箱３、外箱２と、内箱３間には、発泡断熱材４が発泡充填している。外箱２の上面後端部５と、背面上端部６に連続した凹部７が設けられている。凹部底面８に、圧縮機９が防振材（図示せず）により設置する。放熱器１０は凹部底面８に取り付けられている。
【００４２】
冷蔵庫本体上部より窪ませた凹部７の片側側壁に複数の穴１６を設けるとともに、複数の穴１６に対向する第二の側壁１７ｂと、この第二の側壁１７ｂに複数の穴２２が開口する。凹部底面８には、圧縮機９及び、放熱器１０等を冷却するためのファンモータが内接し固着する。凹部７の片側側壁に開けられた複数の穴２２の周囲に凸状形状２３が一体に成形されている。
【００４３】
これによって、凸部２０は、冷蔵庫本体１の側壁と一体に形成されたので、冷蔵庫の側壁を壁等に密着して設置した場合でも、ファンモータの開口部１９がふさがれることなく強制的な外気の取り込みと排気が可能となり、凹部内の冷却ユニットの効率よい放熱を可能にし、また凸部２０を冷蔵庫本体の側壁と一体に形成することで凸部の強度を向上させることができる。
【００４４】
（実施の形態７）
図７は本発明の実施の形態７における冷蔵庫の背面斜視図である。
【００４５】
図７において冷蔵庫本体１と、外箱２、内箱３、外箱２と、内箱３間には、発泡断熱材４が発泡充填している。外箱２の上面後端部５と、背面上端部６に連続した凹部７が設けられている。凹部底面８に、圧縮機９が防振材（図示せず）により設置する。放熱器１０は凹部底面８に取り付けられている。冷蔵庫本体上部より窪ませた凹部７の片側側壁に複数の穴１６を設けるとともに、複数の穴１６に対向する第二の側壁１７ｂと、この第二の側壁１７ｂには開口部１６が開口する。凹部底面８には、圧縮機９及び、放熱器１０等を冷却するためのファンモータ１１が位置し固着する。凹部７の片側側壁に開けられた複数の穴２２の周囲に樹脂成型等による凸状形状部品２４が、ビス等の締結部品２５により片側側壁に固着されていることで凸部を形成している。
【００４６】
これによって、冷蔵庫本体１の側壁に別部品である凸状成形品２４を取り付けることで簡単に凸部を形成することができるので、冷蔵庫の設置条件等によって、必要な場合にのみ凸部を設けることができる。また、この凸部によって、ファンモータ１１の開口部である複数の穴２２がふさがれることなく強制的な外気の取り込みと排気を行うことが可能となり、凹部内の冷却ユニットの効率よい放熱を可能にする。
【００４７】
（実施の形態８）
図８は本発明の実施の形態８における冷蔵庫の背面斜視図である。
【００４８】
図８において冷蔵庫本体１と、外箱２、内箱３、外箱２と、内箱３間には、発泡断熱材４が発泡充填している。外箱２の上面後端部５と、背面上端部６に連続した凹部７が設けられている。凹部底面８に、圧縮機９が防振材（図示せず）により設置する。放熱器１０は凹部底面８に取り付けられている。冷蔵庫本体上部より窪ませた凹部７の片側側壁に複数の穴１６を設けるとともに、複数の穴１６に対向する樹脂等で成形された側壁化粧板２６と側壁化粧板２６内面と開口した複数の穴２７が開いている。側壁化粧板２６は冷蔵庫本体１にビス等（図示せず）で固着する。凹部底面８には、圧縮機９及び、放熱器１０等を冷却するためのファンモータ１１が固着する。凹部７を覆うカバー１２は鉄板等の成形品で形成されており、冷蔵庫本体１にビス等の締結部品（図示せず）で固着している。カバー１２の上面部に開口する穴１４は、複数個開口している。
【００４９】
このように、凹部７の側壁に加えて、カバー２１の上面部にも複数の穴を設けているのでファンモータ１１の強制通風により強制的な外気の取り込みと排気が可能となり、凹部内の冷却ユニットの効率よい放熱を可能にする。
【００５０】
（実施の形態９）
図９は本発明の実施の形態９における冷蔵庫の背面斜視図である。
【００５１】
図９において冷蔵庫本体１と、外箱２、内箱３、外箱２と、内箱３間には、発泡断熱材４が発泡充填している。外箱２の上面後端部５と、背面上端部６に連続した凹部７が設けられている。凹部底面８に、圧縮機９が防振材（図示せず）により設置する。放熱器１０は凹部底面８に取り付けられている。
【００５２】
冷蔵庫本体上部より窪ませた凹部７の片側側壁に複数の穴１６を設けるとともに、複数の穴１６に対向する第二の側壁１７ｂと、この第二の側壁１７ｂには複数の穴１９が開口する。凹部底面８には、圧縮機９及び、放熱器１０等を冷却するためのファンモータ１１が固着する。凹部７を覆うカバー１２は、鉄板等の成形品で形成されており、冷蔵庫本体１にビス等の締結部品（図示せず）で固着されている。カバー１２の上面部に複数開口する第一の放熱口２８を備えている。
【００５３】
このように、凹部７の側壁に加えて、カバー２１の上面部にも複数の穴を設けているのでファンモータ１１の強制通風により強制的な外気の取り込みと排気が可能となり、凹部内の冷却ユニットの効率よい放熱を可能にする。
【００５４】
（実施の形態１０）
図１０は本発明の実施の形態１０における冷蔵庫の背面斜視図である。
【００５５】
図１０において冷蔵庫本体１と、外箱２、内箱３、外箱２と、内箱３間には、発泡断熱材４が発泡充填している。外箱２の上面後端部５と、背面上端部６に連続した凹部７が設けられている。凹部底面８に、圧縮機９が防振材（図示せず）により設置する。１０は放熱器で、凹部底面８に取り付いている。冷蔵庫本体上部より窪ませた凹部７の片側側壁に複数の穴１６を設けるとともに、複数の穴１６に対向する第二の側壁１７ｂと、この第二の側壁１７ｂには穴部１９が開口する。凹部底面８には、圧縮機９及び、放熱器１０等を冷却するためのファンモータ１１が位置し固着する。凹部７を覆うカバー１２は、鉄板等の成形品で形成されており、冷蔵庫本体１にビス等の締結部品（図示せず）で固着されている。２８は、カバー１２の上面部に複数開口する第一の放熱口で、カバー１２の背面垂直部３０には第二の放熱口２９を設けている。
【００５６】
上記の構成によって、カバー１２の上面部には複数の穴が開口されているのでファンモータ１１による通風が妨がれることなく強制的な外気の取り込みと排気が可能となり、凹部内の冷却ユニットの効率よい放熱を可能にする。
【００５７】
（実施の形態１１）
図１１は本発明の実施の形態１１における冷蔵庫の背面斜視図である。
【００５８】
図１１において冷蔵庫本体１と、外箱２、内箱３、外箱２と、内箱３間には、発泡断熱材４が発泡充填している。外箱２の上面後端部５と、背面上端部６に連続した凹部７が設けられている。凹部底面８に、圧縮機９が防振材（図示せず）により設置する。１０は放熱器で、凹部底面８に取り付いている。冷蔵庫本体上部より窪ませた凹部７の片側側壁に複数の穴１６を設けるとともに、複数の穴１６に対向する第二の側壁１７ｂと、この第二の側壁１７ｂには穴部１９が開口する。凹部底面８には、圧縮機９及び、放熱器１０等を冷却するためのファンモータ１１が位置し固着する。冷蔵庫本体の制御をつかさどる制御基板等の電子部品を内蔵した基板収納箱３１は、凹部７の底面８に位置し、取り付けられているものである。
【００５９】
これによって、制御基板の放熱を促進し、制御基板の温度が過度に上昇することによる損傷を防ぎ、安定した冷蔵庫本体の制御を可能にする。よい放熱を可能にする。
【産業上の利用可能性】
【００６０】
以上のように、本発明にかかる冷蔵庫は、冷蔵庫の背面壁、及び、側面壁に当てて設置され、さらには、上面にものを置かれたときでも、圧縮機等を内蔵する機械室内に外気を導入することを可能とし、安定した冷却効果を得ることを可能とする。
【図面の簡単な説明】
【００６１】
【図１】本発明の実施の形態１における冷蔵庫の背面斜視図
【図２】本発明の実施の形態２における冷蔵庫の背面斜視図
【図３】本発明の実施の形態３における冷蔵庫の背面斜視図
【図４】本発明の実施の形態４における冷蔵庫の背面斜視図
【図５】本発明の実施の形態５における冷蔵庫の背面斜視図
【図６】本発明の実施の形態６における冷蔵庫の背面斜視図
【図７】本発明の実施の形態７における冷蔵庫の背面斜視図
【図８】本発明の実施の形態８における冷蔵庫の背面斜視図
【図９】本発明の実施の形態９における冷蔵庫の背面斜視図
【図１０】本発明の実施の形態１０における冷蔵庫の背面斜視図
【図１１】本発明の実施の形態１１における冷蔵庫の背面斜視図
【図１２】従来の冷蔵庫の背面斜視図
【符号の説明】
【００６２】
１    冷蔵庫本体
２    外箱
３    内箱
４    発泡断熱材
５    上面後端部
６    背面上端部
７    凹部
７ａ  凹部側壁部
８    凹部底面
９    圧縮機
１０  放熱器
１１  ファンモータ
１２  カバー
１３  背面側穴
１４  上面側穴
１５  空気
１６  複数の穴
１７ａ  第一の側壁
１７ｂ  第二の側壁
１９  開口部
２０  凸部
２１  開口フランジ部
２２  複数の穴
２４  凸状形状部品
２５  ビス等
２６  側壁化粧板
２７  穴
２８  第一の放熱口
２９  第二の放熱口
３０  背面垂直部
３１  基板収納箱
【図１】
2007017044.tif 000003
【図２】
2007017044.tif 000004
【図３】
2007017044.tif 000005
【図４】
2007017044.tif 000006
【図５】
2007017044.tif 000007
【図６】
2007017044.tif 000008
【図７】
2007017044.tif 000009
【図８】
2007017044.tif 000010
【図９】
2007017044.tif 000011
【図１０】
2007017044.tif 000012
【図１１】
2007017044.tif 000013
【図１２】
2007017044.tif 000014